(57)【特許請求の範囲】
【請求項１】
太陽電池部材と固定部材を有する複数の独立した太陽電池付きパネルを積み重ねて形成される壁面構造であって、
前記太陽電池付きパネルは、前記太陽電池部材が板状であって略水平に設けられ、正面視したときに、前記太陽電池部材の上部側領域又は下部側領域の少なくとも一方に透明領域があり、
前記固定部材は、ブロック片であって、少なくとも１面に前記太陽電池部材が接着されており、
前記太陽電池付きパネルにおける前記透明領域の高さ方向に占める範囲は、前記太陽電池部材が高さ方向に占める範囲よりも広く、
太陽電池付きパネルを縦姿勢に設置し、前記太陽電池付きパネルを正面視したときの前記透明領域の占有面積は前記太陽電池付きパネルの全面積の８０パーセント以上であり、
前記太陽電池部材は、シースルー型太陽電池であり、
一の太陽電池付きパネルの上面に他の太陽電池付きパネルが直接載置されていることを特徴とする壁面構造。
【発明の詳細な説明】
【技術分野】
【０００１】
本発明は、窓やベランダ等の手すり、ショーケース等の壁面構造の一部又は全部として使用可能な太陽電池付きパネルに関する。
【背景技術】
【０００２】
近年、環境負荷の低いエネルギー源として太陽電池パネルが注目されている。
この太陽電池パネルは、光エネルギーを電気エネルギーに変換可能な光電変換装置である。
太陽電池パネルは、透明電極層と、裏面電極層と、当該２つの電極層に挟まれた半導体接合等からなる光電変換層を有した光電変換素子を備えている。そして、この太陽電池パネルは、光電変換層に光を照射することにより発生するキャリア（電子及び正孔）を電極層により収集して外部回路に取り出すことが可能となっている。
また、この太陽電池パネルは、裏面電極層として光沢のある金属を使用することで、光電変換層を通過した光も裏面電極層で反射させて、光電変換層で回収することによって光電変換層での発電量の向上が図られている。
【０００３】
従来の太陽電池パネルは、太陽光に対して十分な入射面積を確保するために、地面に対して平行かやや傾斜した姿勢で設置されている。そのため、移住環境において、太陽電池パネルの設置位置は、平坦な地面や建物の屋根に限られていた。
しかしながら、一般の建物において屋根の面積は限られているため、屋根の全面に太陽電池を取り付けると、増設できないという問題があった。そのため、太陽電池パネルの普及とともに、新たな太陽電池パネルの設置場所の模索がなされていた。
【０００４】
そこで、特許文献１では、太陽電池パネルの設置場所として建造物のファサードに着目しており、建造物のファサード、特にブラインドを内蔵した窓として使用可能なソーラーモジュールが提案されている。
この特許文献１では、２枚のガラスの間に複数枚の太陽電池を介在させることによって、太陽光を取り込み、建造物のファサードで発電できる構造となっている。
【先行技術文献】
【特許文献】
【０００５】
【特許文献１】特表２０１２−５２７７４９号公報
【発明の概要】
【発明が解決しようとする課題】
【０００６】
特許文献１のソーラーモジュールでは、主に太陽電池をブラインドとして使用するものである。そのため、ブラインドを閉状態とするために各太陽電池の間隔を狭くせざるを得ない。すなわち、特許文献１のソーラーモジュールでは、ブラインドを全開にしたとしても、太陽電池がある程度密集して配されているので、太陽電池が太陽光を遮ってしまい、特定の角度の太陽光しか建物の室内に取り入れることができなかった。そのため、特許文献１のソーラーモジュールを窓として使用した場合に、通常のガラス窓に比べて、室内への採光量が低下し、使用者によっては、不満に感じる場合があった。また、上記したように、採光面に太陽電池が密集して設置されるため、多数の太陽電池が使用者の視界に入り、室内からの景観が損なわれるおそれがあった。
【０００７】
そこで、上記した問題に鑑み、窓等に使用した場合でも、通常のガラスと同程度の採光を確保でき、室内からの景観が損なわれにくい太陽電池付きパネルを提供することを目的とする。
【課題を解決するための手段】
【０００８】
上記した課題を解決するための本発明に関連する発明は、縦姿勢で設置され、一又は複数の太陽電池部材を有する太陽電池付きパネルを用いた壁面構造であって、前記太陽電池部材は板状であって太陽電池付きパネルの設置姿勢を基準として略水平に設けられ、前記太陽電池付きパネルを正面視したときに、太陽電池部材の上部側領域及び下部側領域の両方に透明領域があり、透明領域の高さ方向に占める範囲は、太陽電池付きパネルの設置姿勢を基準として太陽電池部材が高さ方向に占める範囲よりも広く、太陽電池付きパネルを縦姿勢に設置し、前記太陽電池付きパネルを正面視したときの前記透明領域の占有面積は、前記太陽電池付きパネルの全面積の８０パーセント以上であり、前記太陽電池部材は、シースルー型の太陽電池である壁面構造である。
この発明は、縦姿勢で設置され、一又は複数の太陽電池部材を有する太陽電池付きパネルであって、前記太陽電池部材は板状であって太陽電池付きパネルの設置姿勢を基準として略水平に設けられ、太陽電池部材の上部側領域又は下部側領域の少なくとも一方に透明領域があり、透明領域の高さ方向に占める範囲は、太陽電池付きパネルの設置姿勢を基準として太陽電池部材が高さ方向に占める範囲よりも広く、太陽電池付きパネルを縦姿勢に設置し、太陽電池付きパネルから十分に離れた位置に立って太陽電池付きパネルの正面から裏面を水平方向に透かして観察した際、裏面側の８０パーセント以上が目視可能である太陽電池付きパネルに関連する。
【０００９】
ここでいう「略水平」とは、水平面（０度）に加えて、水平面に対してプラスマイナス３度以下の角度の姿勢の傾きを許容するものである。すなわち、「略水平」とは、水平面を基準として−３度から３度までの範囲をいう。
【００１０】
上記した構成によれば、太陽電池付きパネルから十分に離れた位置に立って太陽電池付きパネルの正面から裏面を水平方向に透かして観察した際に、裏面側の８０パーセント以上が目視可能である。すなわち、太陽電池付きパネルの設置姿勢を基準として、太陽電池部材が略水平であり、かつ、鉛直方向に太陽電池部材が密集して設けられていないため、太陽電池部材の受光面が採光面に重なりにくく、太陽電池部材が採光の邪魔になりにくい。それ故に、上記した構成によれば、通常のガラス窓と同様、光をほとんど減衰させずに取り込むことが可能である。また、室内からの景観が損なわれにくい。
さらに、上記した構成によれば、表板部材と裏板部材が離れて設置されているため、表板部材と裏板部材の間に隙間が形成されており、その隙間には空気等が介在するので、表板部材と裏板部材が直接接触して配される場合に比べて、熱伝導率を抑制させることができる。すなわち、上記した構成によれば、断熱効果も発揮できる。
【００１１】
上記した発明は、透明な表板部材と裏板部材を有し、前記表板部材と裏板部材は平行且つ空間を開けた状態で配置されており、前記太陽電池部材は前記表板部材と裏板部材の間にあって前記表板部材と裏板部材に対して垂直姿勢で配置されていてもよい。
【００１２】
この構成によれば、太陽電池付きパネルから十分に離れた位置に立って太陽電池付きパネルの正面から裏面を水平方向に透かして観察した際に、より太陽電池部材が使用者に見えにくく、意匠性が高い。
【００１３】
上記した発明は、前記太陽電池部材は、表板部材の内側面と裏板部材の内側面によって挟持されていてもよい。
【００１４】
この構成によれば、太陽電池部材が表板部材と裏板部材によって挟持されている。すなわち、太陽電池部材の端部は、表板部材の主面と裏板部材の主面に当接しているため、例えば、窓等に使用した場合であって、強風等が吹きつけた場合であっても、がたつきにくい。
【００１５】
上記した発明は、前記表板部材と裏板部材は、それぞれ固定溝を有し、前記固定溝に太陽電池部材の端部が嵌め込まれていてもよい。
【００１６】
この構成によれば、太陽電池部材を表板部材の固定溝と裏板部材の固定溝のそれぞれに嵌めて固定するので、太陽電池部材をしっかりと固定することができる。そのため、例えば、窓等に使用した場合であって、強風等が吹きつけた場合であっても、がたつきにくい。
【００１７】
上記した発明は、表板部材と裏板部材は、正面視したときに共に四角形であり、当該四角形の４辺のいずれかに太陽電池部材が設けられていてもよい。
【００１８】
この構成によれば、表板部材と裏板部材の辺に沿って太陽電池部材が設けられているため、正面視したときに使用者に太陽電池部材を見えにくくすることが可能である。
また、この構成によれば、例えば、窓として使用した場合に、太陽電池付きパネルを壁面に固定する固定部材に太陽電池部材を重なるように配置することによって、固定部材で太陽電池部材を隠すこともできる。そのため、使用者の視界に太陽電池部材が入りにくく、意匠性が高い。
【００１９】
上記の発明は、太陽電池付きパネルの設置姿勢を基準として、表板部材と裏板部材の下辺に沿って太陽電池部材が設けられていてもよい。
【００２０】
この構成によれば、太陽電池部材が使用者の死角に入りやすく、より見えにくくすることができる。
【００２１】
上記した発明は、前記太陽電池部材に加えて、さらに他の太陽電池部材を有し、当該他の太陽電池部材は、板状であり、前記他の太陽電池部材は、太陽電池付きパネルの設置姿勢を基準として、前記略水平に設けられた太陽電池部材に対して交差する方向であって、かつ、前記表板部材に対して直交する方向に設けられていてもよい。
【００２２】
この構成によれば、一の太陽電池部材と他の太陽電池部材は、互いに交差する関係にある。そのため、一の太陽電池の表面で乱反射した光の一部を他の太陽電池部材で受光することができるため、発電効率の向上が可能である。
【００２３】
上記した発明は、他の太陽電池部材は、太陽電池付きパネルの設置姿勢を基準として、略鉛直に設けられていてもよい。
【００２４】
ここでいう「略鉛直」とは、鉛直面（９０度）に加えて、鉛直面に対してプラスマイナス３度以下の角度の姿勢の傾きを許容するものである。すなわち、「略鉛直」とは、鉛直面を基準として−３度から３度までの範囲をいう。
【００２５】
上記した発明は、前記太陽電池部材を前記前板部材及び前記裏板部材に固定する固定金具を有し、前記固定金具は、太陽電池部材を載置可能な載置部と、連結部を有し、前記連結部は、一の前板部材と、前記一の前板部材に隣接する前板部材とを連結可能であることとしてもよい。
【００２６】
この構成によれば、固定金具によって太陽電池部材の設置と前板部材の連結の双方を行うことができるため、太陽電池付きパネルの組み立てが容易である。
【００２７】
上記した発明の応用発明は、上記した発明に係る太陽電池付きパネルを使用する壁面構造であって、太陽電池付きパネルを壁面に取り付ける固定部材を有し、正面視したときに、前記太陽電池部材は、前記固定部材の一部と重なって隠されていることとしてもよい。
【００２８】
この発明によれば、太陽電池部材が固定部材の一部に隠されているため、使用者に対して太陽電池部材を見えにくくすることができる。
請求項１に記載の発明は、太陽電池部材と固定部材を有する複数の独立した太陽電池付きパネルを積み重ねて形成される壁面構造であって、前記太陽電池付きパネルは、前記太陽電池部材が板状であって略水平に設けられ、正面視したときに、前記太陽電池部材の上部側領域又は下部側領域の少なくとも一方に透明領域があり、前記固定部材は、ブロック片であって、少なくとも１面に前記太陽電池部材が接着されており、前記太陽電池付きパネルにおける前記透明領域の高さ方向に占める範囲は、前記太陽電池部材が高さ方向に占める範囲よりも広く、太陽電池付きパネルを縦姿勢に設置し、前記太陽電池付きパネルを正面視したときの前記透明領域の占有面積は前記太陽電池付きパネルの全面積の８０パーセント以上であり、前記太陽電池部材は、シースルー型太陽電池であり、一の太陽電池付きパネルの上面に他の太陽電池付きパネルが直接載置されていることを特徴とする壁面構造である。
【発明の効果】
【００２９】
本発明の太陽電池付きパネルによれば、窓等に使用する場合であっても、通常の窓と同程度の採光が可能である。また、本発明の太陽電池付きパネルによれば、表板部材と裏板部材の間隔が離れているため、断熱効果も高い。
【図面の簡単な説明】
【００３０】
【図１】本発明の第１実施形態の太陽電池付きパネルの設置状態を模式的に表す斜視図である。
【図２】図１の太陽電池付きパネルを模式的に表す斜視図である。
【図３】図２の太陽電池付きパネルの分解斜視図である。
【図４】図２の太陽電池付きパネルの一部破断斜視図である。
【図５】図２の太陽電池付きパネルの正面図である。
【図６】本発明の第２実施形態の太陽電池付きパネルを模式的に示した斜視図である。
【図７】図６の太陽電池付きパネルの分解斜視図である。
【図８】図７の固定金具の断面図である。
【図９】図６の太陽電池付きパネルの組み立て手順の説明図であり、固定金具に表板部材と裏板部材を取り付ける状況を表す斜視図である。
【図１０】図６の太陽電池付きパネルの組み立て手順の説明図であり、表板部材と裏板部材に対して固定金具及び太陽電池部材を取り付ける状況を表す斜視図である。
【図１１】図６の太陽電池付きパネルの組み立て手順の説明図であり、固定金具に表板部材と裏板部材を取り付ける状況を表す斜視図である。
【図１２】図６の太陽電池付きパネルの組み立て手順の説明図であり、表板部材と裏板部材に固定金具を取り付ける状況を表す斜視図である。
【図１３】本発明の第３実施形態の太陽電池付きパネルの設置状態を模式的に表す斜視図である。
【図１４】図１３の太陽電池付きパネルの要部の分解斜視図である。
【図１５】図１３の太陽電池付きパネルの要部の断面斜視図である。
【図１６】本発明の第４実施形態の太陽電池付きパネルの設置状態を模式的に表す斜視図である。
【図１７】図１６の壁面構造のＡ−Ａ断面図である。
【図１８】図１６の壁面構造の一部破断斜視図である。
【図１９】図１６の太陽電池付きパネルの分解斜視図である。
【図２０】図１６の太陽電池付きパネルの正面図である。
【図２１】本発明の第５実施形態の太陽電池付きパネルを模式的に示した斜視図である。
【図２２】本発明の第６実施形態の太陽電池付きパネルの設置状態を模式的に表す斜視図である。
【図２３】図２２の太陽電池付きパネルを模式的に示した斜視図である。
【図２４】図２３の壁面構造の一部の正面図である。
【図２５】本発明の他の実施形態の太陽電池付きパネルを表す斜視図である。
【発明を実施するための形態】
【００３１】
以下、本発明の実施形態について詳細に説明する。
なお、以下の説明において、特に断りがない限り、太陽電池付きパネル１の上下の位置関係は、図１に示される通常の設置姿勢を基準に説明する。また、空間１２を基準として内外を規定する。
【００３２】
第１実施形態の太陽電池付きパネル１は、オフィスビル等の建物の窓等の壁面構造１５を形成する壁面形成部材として使用されるものである。
すなわち、太陽電池付きパネル１は、図１に示されるように、他の太陽電池付きパネル１ともに面状に敷き詰められて一つの壁面を形成する壁面構造１５を構成するものである。
また、太陽電池付きパネル１は、壁面構造１５を組み立てたときに、主面が床面に対して立ち上がった姿勢である縦姿勢で設置されるものである。すなわち、太陽電池付きパネル１の主面は、通常設置姿勢において、鉛直方向に対して交差する方向を向いている。
【００３３】
第１実施形態の太陽電池付きパネル１は、図２に示されるように、表板部材２と、裏板部材３と、太陽電池部材５を有している。
【００３４】
表板部材２は、面状に広がりを有した透光性部材であり、多角形状又は円形状の板体である。
本実施形態では、表板部材２は、四角形状をしており、４辺を有している。すなわち、表板部材２は、正面視したときに、横方向Ｘ（左右方向）に延びる辺７，８と、縦方向Ｙ（横方向Ｘに対して直交する方向）に延びる辺９，１０を有している。
表板部材２は、透光性を有していれば、特に限定されるものではなく、例えば、ガラス製の板体やアクリル製の板体が使用できる。
本実施形態の表板部材２は、ガラス板を採用している。
表板部材２の長辺の長さは、０．８ｍ以上１ｍ以下であることが好ましい。
【００３５】
裏板部材３は、表板部材２と同様、面状に広がりを有した透光性部材であり、多角形状又は円形状の板体である。
裏板部材３の大きさは、表板部材２の大きさと概ね同じであり、正面視したときにほぼ同一形状をしている。
すなわち、裏板部材３は、四角形状をしており、正面視したときに横方向Ｘ（左右方向）に延びる辺１７，１８と、縦方向Ｙ（上下方向）に延びる辺１９，２０を有している。
【００３６】
裏板部材３は、透光性を有していれば、特に限定されるものではなく、例えば、ガラス製の板体やアクリル製の板体が使用できる。
本実施形態では、裏板部材３として、ガラス板を採用している。
裏板部材３の長辺の長さは、０．８ｍ以上１ｍ以下であることが好ましい。
【００３７】
太陽電池部材５は、公知の太陽電池を実装した部材であり、光エネルギーを電気エネルギーに変換する光電変換部材である。
太陽電池部材５は、長方形状の板体であって、細長い長尺体である。すなわち、太陽電池部材５は、平面視したときに、短辺に対して長辺が２倍以上となっている。
太陽電池部材５は、図３のように少なくとも一方の主面に受光面３０を備えている。すなわち、太陽電池部材５は、受光面３０で光を受光し、図示しない配線から外部に電気を取り出す構造となっている。
また、太陽電池部材５は、いわゆるシースルー型の太陽電池であり、受光面３０側から光の一部を厚み方向（受光面３０に対して直交する方向）に透過することが可能となっている。すなわち、太陽電池部材５は、受光面３０側からその反対側の主面側まで透過して見ることができる。
【００３８】
続いて、太陽電池付きパネル１の各部材の位置関係について説明する。
【００３９】
表板部材２と裏板部材３は、図２に示されるように、前後方向Ｚ（厚み方向）において、互いに平行であって、所定の間隔を空けて配されている。すなわち、表板部材２と裏板部材３は、互いの主面が空間１２を介して対面している。
【００４０】
太陽電池部材５は、図４に示されるように、表板部材２と裏板部材３の間に介在しており、表板部材２及び裏板部材３によって挟持されている。すなわち、太陽電池部材５の短手方向（前後方向Ｚ）の両端面は、表板部材２の内側面及び裏板部材３の内側面によって押さえつけられており、表板部材２の内側面及び裏板部材３の内側面に当接している。
また、太陽電池部材５は、表板部材２及び裏板部材３によって略水平の姿勢で固定されている。本実施形態では、太陽電池部材５は、水平の状態となっている。
すなわち、太陽電池部材５は、表板部材２及び裏板部材３のそれぞれの主面に対して垂直姿勢となっており、受光面３０が上方を向いた横姿勢となっている。
【００４１】
太陽電池部材５は、図５に示されるように、表板部材２の下辺８及び裏板部材３の下辺１８の近傍であって、かつ、下辺８，１８に沿って設けられている。すなわち、太陽電池部材５は、表板部材２及び裏板部材３の下端部近傍に設けられており、幅方向Ｘ（左右方向）に延びている。
また本実施形態では、太陽電池部材５の下面が表板部材２の下辺８及び裏板部材３の下辺１８と重なるように設けられている。すなわち、太陽電池部材５の下面、表板部材２の下端面、及び裏板部材３の下端面は、同一平面を形成し、面一となっている。
【００４２】
また、表板部材２及び裏板部材３の間であって、太陽電池部材５の受光面３０の上方には、空間が形成されており、断熱材２８が配されている。
断熱材２８は、透明性を有していれば特に限定されるものではなく、例えば、空気、窒素ガス、ヘリウムガス、アルゴンガス等の無色の不活性気体や、水分が０．０１ｐｐｍ以下の有機溶媒や樹脂溶剤等の透明液体、アクリル樹脂等の透明固体が使用できる。
本実施形態では、断熱材２８は空気であり、表板部材２及び裏板部材３の間であって、太陽電池部材５の受光面３０の上方は空洞（空間１２）となっている。
【００４３】
また、太陽電池付きパネル１を別の観点からみると、太陽電池付きパネル１は、太陽電池付きパネル１を正面視したときに、太陽電池部材５の上側及び／又は下側に透明領域３１が形成されている。
本実施形態の太陽電池付きパネル１は、図５に示されるように、太陽電池部材５の上方側の領域である上部側領域に透明領域３１を備えている。
透明領域３１は、図４に示されるように、太陽電池部材５の受光面３０の天地方向（上下方向）の投影面に位置する領域であって、表板部材２側から太陽電池付きパネル１をみたときに、裏板部材３側が透過して見える領域である。
すなわち、本実施形態の透明領域３１は、空間１２に対応する領域であって、断熱材２８が充填された領域である。
【００４４】
透明領域３１の占有率は、図５に示されるように、太陽電池付きパネル１の全体の７５パーセント以上である。
透明領域３１の占有率は、より光を取り込む観点から太陽電池付きパネル１の全体の８０パーセント以上であることが好ましく、９０パーセント以上であることがより好ましい。
図５に示されるように、太陽電池付きパネル１を正面視したときの透明領域３１の占有面積は、太陽電池付きパネル１の全面積の８０パーセント以上となっており、太陽電池付きパネル１を裏面視したときの透明領域３１の占有面積も、太陽電池付きパネル１の全面積の８０パーセント以上となっている。
すなわち、太陽電池付きパネル１は、正面視及び裏面視したときに、いずれも大部分が透明領域３１となっている。
【００４５】
また、太陽電池付きパネル１から十分に離れた位置（例えば、表板部材２の外側面から３ｍの位置）に立って太陽電池付きパネル１の正面から裏面を水平方向に透かして観察した際、裏面側の８０パーセント以上が目視可能となっている。すなわち、太陽電池付きパネル１は、裏面側の大部分が目視可能となっている。
【００４６】
本実施形態の太陽電池付きパネル１であれば、正面視したときの太陽電池部材５が占める割合が小さいため、通常の窓と同様に採光することができる。
【００４７】
また、本実施形態の太陽電池付きパネル１であれば、表板部材２と裏板部材３の間に空間が形成されているため、表板部材２と裏板部材３が直接接触している場合に比べて、熱伝導率を抑制することができる。
【００４８】
続いて、第２実施形態の太陽電池付きパネル５０について説明する。なお、第１実施形態と同様のものは同じ符番を付して説明を省略する。
【００４９】
第２実施形態の太陽電池付きパネル５０は、第１実施形態の太陽電池付きパネル１に他の太陽電池付きパネル１との連結構造を付加させたものである。
すなわち、第２実施形態の太陽電池付きパネル５０は、壁面構造１５を形成する際の他の太陽電池付きパネル５０との連結構造に特徴の一つを有している。
【００５０】
第２実施形態の太陽電池付きパネル５０は、図６，図７から読み取れるように、表板部材２と、裏板部材３と、太陽電池部材５と、固定金具５１を有している。
【００５１】
固定金具５１は、図６，図７，図８から読み取れるように、太陽電池部材５の位置を固定する部材であり、載置部５２と、連結部５３，５４を有している。
【００５２】
載置部５２は、図６，図８から読み取れるように、太陽電池部材５を載置可能な部位であり、太陽電池部材５の主面とほぼ同一形状の板状の部位である。すなわち、載置部５２は、平面視したときに、長方形状をしており、対向する二辺５５，５６を有している。
【００５３】
連結部５３は、図６に示されるように、上下方向Ｙに隣接する表板部材２，２間を連結する部位である。
連結部５３は、図７，図８から読み取れるように、断面視したときに「Ｈ」字状の部位であり、載置部５２から張り出した張出部６０と、張出部６０から上方に向かって立ち上がった上部立壁部６６，６７と、張出部６０から下方に向かって立ち上がった下部立壁部６８，６９を有している。
【００５４】
張出部６０は、載置部５２の厚みと同程度の厚みを備えた板状の部位であり、載置部５２の辺５５（辺５６）から外側に向けて張り出した部位である。
上部立壁部６６，６７は、張出部６０の上面に立設された板状の部位であり、上部立壁部６６は、張出部６０の張出方向先端部から立ち上がっており、上部立壁部６７は、張出部６０の張出方向基端部から立ち上がっている。
すなわち、上部立壁部６６は、図７から読み取れるように、張出部６０の縁に沿って形成されており、左右方向Ｘに延びており、上部立壁部６７は、載置部５２の辺５５に沿って形成されており、左右方向Ｘに延びている。つまり、上部立壁部６６，６７は、互いに前後方向Ｚに間隔を空けて平行に配されている。
上部立壁部６６，６７は、図８に示されるように、互いの主面が対面するように配されており、その間に張出部６０，上部立壁部６６，６７に囲まれた固定空間７０が形成されている。
【００５５】
一方、張出部６０の下部に注目すると、下部立壁部６８，６９は、図８に示されるように、張出部６０の下面に立設された板状の部位であり、下部立壁部６８は、張出部６０の張出方向先端部から立ち上がっており、下部立壁部６９は、張出部６０の張出方向基端部から立ち上がっている。
すなわち、下部立壁部６８は、図７から読みとれるように、張出部６０の縁に沿って形成されており、左右方向Ｘに延びており、下部立壁部６９は、載置部５２の辺５５に沿って形成されており、左右方向Ｘに延びている。
また、下部立壁部６８，６９は、互いに前後方向Ｚに間隔を空けて平行に配されている。すなわち、下部立壁部６８，６９は、図８に示されるように、互いの主面が対面するように配されており、その間に張出部６０，下部立壁部６８，６９に囲まれた固定空間７１が形成されている。
【００５６】
下部立壁部６８は、図８に示されるように、張出部６０を挟んで上部立壁部６６と上下方向Ｙに対応する位置に配されており、一つの平面を形成している。また下部立壁部６９は、上部立壁部６７と上下方向Ｙに対応する位置に配されている。
すなわち、固定空間７０，７１は、図７から読み取れるように、ともに載置部５２の長手方向（左右方向Ｘ）に直線状に延びており、張出部６０を挟んで対向する位置に配されている。
【００５７】
連結部５４は、図６に示されるように、上下方向Ｙに隣接する裏板部材３，３間を連結する部位である。
連結部５４は、連結部５３と同様の形状をしており、図８のように断面視したときに「Ｈ」字状の部位である。連結部５４は、連結部５３と同様、載置部５２から張り出した張出部６０と、張出部６０から上方に向かって立ち上がった上部立壁部６６，６７と、張出部６０から下方に向かって立ち上がった下部立壁部６８，６９を有している。
【００５８】
続いて、複数の太陽電池付きパネル５０を用いて壁面構造１５を形成する際の太陽電池付きパネル５０の位置関係について取付け手順とともに説明する。
【００５９】
まず、一段目の太陽電池付きパネル５０ａを組み立てる。
すなわち、図９に示されるように、下部立壁部６８，６９を有しない固定金具５１ａを床面に設置し、太陽電池部材５ａを固定金具５１ａの載置部５２に載置する。そして、表板部材２ａと裏板部材３ａを固定金具５１ａの連結部５３，５４に取り付けて、一段目の太陽電池付きパネル５０ａを形成する。
【００６０】
このとき、連結部５３の上部立壁部６６と上部立壁部６７との間には、表板部材２ａの下端部が嵌め込まれており、連結部５４の上部立壁部６６と上部立壁部６７との間に裏板部材３ａの下端部が嵌め込まれている。すなわち、連結部５３の固定空間７０内に表板部材２ａの下端部が挿入されており、連結部５４の固定空間７０内に裏板部材３ａの下端部が挿入されている。
表板部材２ａと裏板部材３ａは、固定金具５１ａによって縦姿勢となるように固定されており、互いに対面するように平行に配されている。表板部材２ａと裏板部材３ａの間隔は、載置部５２の幅及び連結部５３，５４の上部立壁部６７の厚みの和とほぼ同一となっており、固定金具５１ａによって表板部材２ａと裏板部材３ａの間隔が維持されている。すなわち、固定金具５１ａは、表板部材２ａと裏板部材３ａの間隔を維持する間隔維持部材であるともいえる。
また、太陽電池部材５は、載置部５２に載置されて、固定金具５１ａの連結部５３，５４の上部立壁部６７，６７に挟まれており、太陽電池部材５は、長辺が上部立壁部６７，６７に沿うように載置されている。
すなわち、太陽電池部材５は、上部立壁部６７，６７及び載置部５２によって囲まれた設置空間７２に取り付けられている。
【００６１】
次に、図１０に示されるように、一段目の太陽電池付きパネル５０ａに対して、固定金具５１ｂを取り付ける。
すなわち、固定金具５１ａによって位置固定された表板部材２ａと裏板部材３ａに対して、新たな固定金具５１ｂを取り付ける。具体的には、表板部材２ａと裏板部材３ａのそれぞれに固定金具５１ｂの連結部５３，５４を取り付ける。
【００６２】
このとき、連結部５３の下部立壁部６８と下部立壁部６９との間には、表板部材２ａの上端部が嵌め込まれており、連結部５４の下部立壁部６８と下部立壁部６９との間に裏板部材３ａの上端部が嵌め込まれている。
すなわち、連結部５３の固定空間７１内に表板部材２ａの上端部が挿入されており、連結部５４の固定空間７１内に裏板部材３ａの上端部が挿入されている。
表板部材２ａと裏板部材３ａの間隔及び姿勢は、上下の固定金具５１ａ，５１ｂによって、位置決めされる。
またこのとき、一段目の太陽電池付きパネル５０ａに注目すると、太陽電池部材５ａの上方には、表板部材２ａ、裏板部材３ａ、固定金具５１ｂの載置部５２に囲まれた透明領域３１が形成されている。
固定金具５１ａの載置部５２に載置された太陽電池部材５ａの受光面３０は、透明領域３１側を向いている。
【００６３】
そして、一段目の太陽電池付きパネル５０ａの表板部材２ａと裏板部材３ａの端面が固定された固定金具５１ｂの載置部５２に太陽電池部材５ｂを載置する。
【００６４】
このとき、太陽電池部材５ｂの受光面３０は、図１０に示されるように、上方を向いている。すなわち、太陽電池部材５ｂは、横姿勢となっており、表板部材２ａ及び裏板部材３ａの主面に対して直交する姿勢となっている。
また、太陽電池部材５ｂは、固定金具５１ｂの連結部５３，５４の上部立壁部６７，６７に挟まれており、太陽電池部材５ｂは、長辺が上部立壁部６７，６７に沿うように載置されている。すなわち、太陽電池部材５ｂの長手方向は、左右方向を向いており、太陽電池部材５ｂの短手方向は、前後方向を向いている。
さらにこのとき、太陽電池部材５ｂは、両側面からみたとき、いずれも上部立壁部６６，６６に重なっており、上部立壁部６６，６６に隠れている。
【００６５】
その後、図１１に示されるように、固定金具５１ｂの連結部５３，５４に新たな表板部材２ｂ及び裏板部材３ｂをそれぞれ取り付けて、二段目の太陽電池付きパネル５０ｂを形成する。
【００６６】
このとき、固定金具５１ｂの連結部５３の固定空間７０内に表板部材２ｂの下端部が挿入されており、連結部５４の固定空間７０内に裏板部材３ｂの下端部が挿入されている。
表板部材２ｂと裏板部材３ｂの間隔は、載置部５２の幅とほぼ同一となっており、固定金具５１によって表板部材２ｂと裏板部材３ｂの間隔が維持されている。
またこのとき、一段目の太陽電池付きパネル５０ａの表板部材２ａと、二段目の太陽電池付きパネル５０ｂの表板部材２ｂは、固定金具５１ｂを挟んで天地方向に同一直線状に並んでいる。すなわち、表板部材２ａの主面と表板部材２ｂの主面は、同一平面を形成している。
同様に、一段目の太陽電池付きパネル５０ａの裏板部材３ａと、二段目の太陽電池付きパネル５０ｂの裏板部材３ｂは、固定金具５１ｂを挟んで天地方向に同一直線状に並んでいる。すなわち、裏板部材３ａの主面と裏板部材３ｂの主面は、同一平面を形成している。
そして、正面視したときに、表板部材２ａ，２ｂの接続部分、及び裏板部材３ａ，３ｂの接続部分は、固定金具５１ｂの端面と重なっている。すなわち、表板部材２ａ，２ｂの接続部分、及び裏板部材３ａ，３ｂの接続部分は、固定金具５１ｂの上部立壁部６６及び下部立壁部６８によって隠されている。
【００６７】
その後、三段目の太陽電池付きパネル５０を形成するべく、図１２に示されるように、固定金具５１ｂによって位置固定された表板部材２ｂと裏板部材３ｂに新たな固定金具５１ｃを取り付ける。すなわち、表板部材２ｂと裏板部材３ｂのそれぞれに固定金具５１ｃの連結部５３，５４を取り付ける。
【００６８】
あとは、同様の手順によって、表板部材２，裏板部材３、太陽電池部材５及び固定金具５１を組み立てていき、各段の太陽電池付きパネル５０が形成され、壁面構造１５が形成される。
【００６９】
第２実施形態の太陽電池付きパネル５０によれば、固定金具５１によって表板部材２及び裏板部材３の位置決めがされるため、組み立てやすい。
【００７０】
また、第２実施形態の太陽電池付きパネル５０によれば、表板部材２及び裏板部材３の両端部が固定金具５１，５１によって固定されるため、強風等が吹いた場合でも表板部材２及び裏板部材３が固定金具５１から離れにくい。
【００７１】
さらに、第２実施形態の太陽電池付きパネル５０によれば、太陽電池部材５が固定金具５１の上部立壁部６６によって隠れるため、太陽電池部材５が使用者の目に入りにくい。
【００７２】
続いて、第３実施形態の太陽電池付きパネル８０について説明する。
【００７３】
第３実施形態の太陽電池付きパネル８０は、図１３に示されるように、表板部材８１と、裏板部材８２と、複数の太陽電池部材８３を有している。
【００７４】
第３実施形態の太陽電池付きパネル８０は、一枚の表板部材８１に対して、複数の太陽電池部材８３を取り付け可能である点に特徴の一つを有する。
【００７５】
表板部材８１は、図１３，図１４から読み取れるように、第１実施形態の表板部材２に複数の固定溝８５を設けたものである。
固定溝８５は、太陽電池部材８３を固定する溝であり、太陽電池部材８３の長辺を支持する溝である。また、固定溝８５は、表板部材８１の厚み方向Ｚに深さを有し、表板部材８１の幅方向Ｘ（左右方向）に延びている。
固定溝８５は、図１３に示されるように、上下方向Ｙに所定の間隔を空けて並列されており、上下方向Ｙに隣接する固定溝８５，８５は、互いに平行となっている。
【００７６】
裏板部材８２は、第１実施形態の裏板部材３に複数の固定溝８６を設けたものである。
固定溝８６は、固定溝８５と対となる溝であって、固定溝８５とともに太陽電池部材８３を固定する溝であり、太陽電池部材８３の長辺を支持する溝である。固定溝８６は、裏板部材８２の厚み方向Ｚに深さを有し、裏板部材８２の幅方向Ｘ（左右方向）に延びている。
固定溝８６は、図１３に示されるように、上下方向Ｙに所定の間隔を空けて並列されており、上下方向Ｙに隣接する固定溝８６，８６は、互いに平行となっている。
【００７７】
太陽電池部材８３は、第１実施形態の太陽電池部材５の幅を大きくしたものである。すなわち、太陽電池部材８３は、第１実施形態の太陽電池部材５に比べて前後方向Ｚの長さがやや長い。
【００７８】
続いて、太陽電池付きパネル８０の各構成部材の位置関係について説明する。
【００７９】
表板部材８１と裏板部材８２は、図１５に示されるように、前後方向Ｚに所定の間隔を空けて配されており、表板部材８１の固定溝８５は、裏板部材８２の固定溝８６と太陽電池付きパネル８０の厚み方向（前後方向Ｚ）に対応する位置に配されている。すなわち、表板部材８１の固定溝８５は、裏板部材８２の固定溝８６の太陽電池部材８３の短手方向（前後方向Ｚ）の投影面上に位置している。
【００８０】
太陽電池部材８３の幅方向（前後方向）の一方の端部は、図１５に示されるように、表板部材８１の固定溝８５に嵌め込まれており、太陽電池部材８３の他方の端部は、裏板部材８２の固定溝８６に嵌め込まれている。すなわち、太陽電池部材８３は、表板部材８１及び裏板部材８２によって両端支持されている。
また、太陽電池部材８３は、固定溝８５，８６によって横姿勢に支持されている。具体的には、太陽電池部材８３は、図１４に示されるように、固定溝８５，８６によって、その長辺が左右方向Ｘに向いており、その短辺が前後方向Ｚに向いている。太陽電池部材８３の受光面３０は、上方を向いている。
【００８１】
太陽電池付きパネル８０を別の観点からみると、太陽電池付きパネル８０は、図１５に示されるように、太陽電池部材８３の上部側領域及び下部側領域にそれぞれ透明領域３１，３１が形成されており、正面視したときに透明領域３１，３１の合計面積は表板部材８１の面積の８０パーセント以上を占めている。
【００８２】
第３実施形態の太陽電池付きパネル８０であれば、２枚の板部材８１，８２によって複数の太陽電池部材８３を支持することができる。
【００８３】
また、第３実施形態の太陽電池付きパネル８０であれば、固定溝８５，８６に太陽電池部材８３の一部を嵌めることによって、表板部材８１及び裏板部材８２に対して太陽電池部材８３を固定できるため、太陽電池部材８３を安定した姿勢で支持することができる。
【００８４】
さらに、第３実施形態の太陽電池付きパネル８０であれば、太陽電池部材８３が表板部材８１に対して直立しており、表板部材８１の強度が太陽電池部材８３の剛性によって補強されるため、強風等の外部圧力が働いた場合に、表板部材８１の撓みを抑制することができる。
同様に、太陽電池部材８３が裏板部材８２に対して直立しており、裏板部材８２の強度が太陽電池部材８３の剛性によって補強されるため、強風等の外部圧力が働いた場合に、裏板部材８２の撓みを抑制することができる。
【００８５】
続いて、第４実施形態の太陽電池付きパネル１００について説明する。
【００８６】
第４実施形態の太陽電池付きパネル１００は、図１６に示されるように、建物の壁面へのはめ込み窓として使用されるものである。
すなわち、太陽電池付きパネル１００は、図１６，図１７から読み取れるように、固定部材１０２によって挟持され、建物の壁面１１０に対して固定され、壁面構造１１５を形成するものである。
【００８７】
太陽電池付きパネル１００は、図１８，図１９に示されるように、表板部材２と、裏板部材３と、太陽電池部材５ａ，１０１ａ，５ｂ，１０１ｂから形成されている。
そして、第４実施形態の太陽電池付きパネル１００は、太陽電池部材５ａ，１０１ａ，５ｂ，１０１ｂが表板部材２の各辺に沿って形成されている点に特徴の一つを備えている。
【００８８】
太陽電池部材１０１ａ，１０１ｂ（他の太陽電池部材）は、第１実施形態の太陽電池部材５の短手方向の長さを伸ばしたものである。
【００８９】
固定部材１０２は、図１７に示されるように、太陽電池付きパネル１００の縁を保護する部材であって、壁面１１０に対して太陽電池付きパネル１００を固定する部材である。
固定部材１０２は、図１８に示されるように、正面視すると「ロ」字状の部材であって、断面形状が「コ」字状の部材である。
固定部材１０２は、図１７に示されるように、前面覆部１０５と、端面覆部１０６と、後面覆部１０７から形成されている。
【００９０】
前面覆部１０５は、太陽電池付きパネル１００の表板部材２の外側面（前面）の縁近傍を覆う部位である。
前面覆部１０５は、図１８に示されるように、正面視したときに四角環状をしており、中央に採光開口１０８を有している。
採光開口１０８は、太陽電池付きパネル１００に光を取り入れるための開口である。
【００９１】
端面覆部１０６は、図１８に示されるように、太陽電池付きパネル１００の表板部材２、太陽電池部材５（１０１）、及び裏板部材３の三部材に跨って配される部位であり、表板部材２、太陽電池部材５（１０１）、及び裏板部材３のそれぞれの端面を覆う部位である。
【００９２】
後面覆部１０７は、太陽電池付きパネル１００の裏板部材３の外側面（後面）の縁近傍を覆う部位である。
後面覆部１０７は、正面視したときに四角環状をしており、中央に採光開口１０９を有している。
採光開口１０９は、太陽電池付きパネル１００に光を取り入れるための開口である。
また、採光開口１０９は、図１７のように採光開口１０８と対をなす開口であり、採光開口１０８の前後方向Ｚの投影面上に配されている。
【００９３】
ここで、固定部材１０２の各部位の位置関係に注目すると、前面覆部１０５は、図１７のように断面視したときに、端面覆部１０６の前方端面から中央に向かって立設されており、後面覆部１０７は、端面覆部１０６の後方端面から中央に向かって立設されている。
【００９４】
続いて、太陽電池付きパネル１００を固定部材１０２に取り付けて壁面構造１１５を形成したときの各構成部材の位置関係について説明する。
【００９５】
太陽電池部材５ａ，１０１ａ，５ｂ，１０１ｂは、図２０のように正面視したときに、表板部材２の各辺７，８，９，１０に沿って設けられている。
すなわち、表板部材２の下辺８に太陽電池部材５ａが配されており、表板部材２の上辺に太陽電池部材５ｂが配されている。別の観点からみると、太陽電池部材５ａと太陽電池部材５ｂは、表板部材２及び裏板部材３に対して直交方向であって、水平方向に設けられている。すなわち、太陽電池部材５ａと太陽電池部材５ｂは、透明領域３１を挟んで縦方向Ｙ（上下方向）に互いに対向している。
表板部材２の左辺９に太陽電池部材１０１ａが配されており、表板部材２の右辺１０に太陽電池部材１０１ｂが配されている。別の観点からみると、太陽電池部材１０１ａと太陽電池部材１０１ｂは、表板部材２及び裏板部材３に対して直交方向であって、鉛直方向に設けられている。すなわち、太陽電池部材１０１ａと太陽電池部材１０１ｂは、透明領域３１を挟んで横方向Ｘ（左右方向）に互いに対向している。
【００９６】
太陽電池部材５ａの受光面３０は、上方を向いており、太陽電池部材５ｂの受光面３０は、下方を向いている。すなわち、太陽電池部材５ａの受光面３０と太陽電池部材５ｂの受光面３０は、透明領域３１を挟んで互いに対面している。
太陽電池部材１０１ａの受光面３０は、右方を向いており、太陽電池部材１０１ｂの受光面３０は、左方を向いている。すなわち、太陽電池部材１０１ａの受光面３０と太陽電池部材１０１ｂの受光面３０は透明領域３１を挟んで互いに対面している。
このように、太陽電池部材５ａ，１０１ａ，５ｂ，１０１ｂの受光面３０，３０，３０，３０は、いずれも透明領域３１側を向いている。すなわち、太陽電池部材５ａ，５ｂと太陽電池部材１０１ａ，１０１ｂは互いに交差する関係（本実施形態では直交関係）となっている。
【００９７】
また、固定部材１０２の前面覆部１０５は、図１７から読み取れるように、太陽電池部材５ａ，１０１ａ，５ｂ，１０１ｂの前後方向Ｚの投影面上に位置している。
すなわち、太陽電池部材５ａ，１０１ａ，５ｂ，１０１ｂは、図１６，図１８から読み取れるように、正面視したときに固定部材１０２の前面覆部１０５と重なっており、太陽電池部材５ａ，１０１ａ，５ｂ，１０１ｂの前面は、固定部材１０２の前面覆部１０５によって隠されている。
固定部材１０２の後面覆部１０７も、同様に太陽電池部材５ａ，１０１ａ，５ｂ，１０１ｂの前後方向Ｚの投影面上に位置している。
すなわち、太陽電池部材５ａ，１０１ａ，５ｂ，１０１ｂは、背面視したときに固定部材１０２の後面覆部１０７と重なっており、太陽電池部材５ａ，１０１ａ，５ｂ，１０１ｂの後面は、固定部材１０２の後面覆部１０７によって隠されている。
【００９８】
また、壁面構造１１５は、採光開口１０８，１０９が透明領域３１と重なっており、採光開口１０８から光を入射して太陽電池付きパネル１００を透過して採光開口１０９から取り出すことが可能となっている。
【００９９】
本実施形態の太陽電池付きパネル１００であれば、表板部材２の四辺に沿って太陽電池部材５ａ，１０１ａ，５ｂ，１０１ｂが設けられているため、使用者から太陽電池部材５ａ，１０１ａ，５ｂ，１０１ｂを見えにくくすることが可能である。
また、太陽電池付きパネル１００の中央に太陽電池部材５ａ，１０１ａ，５ｂ，１０１ｂが位置しないので、通常の窓に比べて採光機能を落とさずに、発電することができる。
【０１００】
続いて、第５実施形態の太陽電池付きパネル１２０について説明する。
【０１０１】
第５実施形態の太陽電池付きパネル１２０は、図２１に示されるように、第４実施形態の太陽電池部材５ｂの代わりに照明部材１２１を設けたものである。すなわち、照明部材１２１は、表板部材２の上辺７に沿って配されるものであり、その光照射面１２２は下方を向いている。
【０１０２】
照明部材１２１は、ＬＥＤやＯＬＥＤ等の光源である。照明部材１２１は、太陽電池部材５ｂとほぼ同様の形状をしている。
各太陽電池部材１０１ａ，５ａ，１０１ｂは、図示しない蓄電装置に接続されており、太陽電池部材１０１ａ，５ａ，１０１ｂで発電された電気を蓄電装置に蓄電可能となっている。
また、照明部材１２１は、この蓄電装置と商用電源に接続されており、商用電源からの電気に加えて、蓄電された電気を照明部材１２１に使用することができる。
【０１０３】
ここで、太陽電池付きパネル１２０の各部材の位置関係について簡単に説明すると、照明部材１２１の光照射面１２２は、太陽電池部材５ａの受光面３０と対面している。すなわち、太陽電池部材１０１ａ，５ａ，１０１ｂの各受光面３０，３０，３０は、正面視したときに照明部材１２１の光照射面１２２からの光路を囲繞するように配されている。
【０１０４】
本実施形態の太陽電池付きパネル１２０であれば、例えば、昼間は、照明部材１２１で使用する電気を太陽電池部材１０１ａ，５ａ，１０１ｂで発電して蓄電装置に蓄電しておき、蓄電した電気を夜間に照明部材１２１で使用することができる。また、照明部材１２１の光照射面１２２が太陽電池部材１０１ａ，５ａ，１０１ｂの受光面３０，３０，３０が向いた透明領域３１側に位置しているため、照明部材１２１で発せられる光を再度太陽電池部材１０１ａ，５ａ，１０１ｂでの発電に使用することも可能である。このようにすることで、消費電力を抑えることができる。
【０１０５】
続いて、第６実施形態の太陽電池付きパネル１５０について説明する。
【０１０６】
第６実施形態の太陽電池付きパネル１５０は、図２２に示されるように、第１実施形態の太陽電池付きパネル１と同様、複数の太陽電池付きパネル１５０とともに敷き詰められて一つの壁面を形成する壁面構造１６０を構成するものである。
【０１０７】
太陽電池付きパネル１５０は、図２３に示されるように、太陽電池部材１５１と、固定部材１５２から形成されている。
【０１０８】
固定部材１５２は、透光性樹脂で形成されたブロック片であり、その少なくとも１面に太陽電池部材１５１を載置可能となっている。
固定部材１５２の構成材料としては、固体状態で透光性を有していれば、特に限定されるものではなく、例えば、アクリル樹脂等が使用できる。
本実施形態の固定部材１５２は、直方体状をしたアクリルブロックである。
【０１０９】
固定部材１５２の上面及び下面は、太陽電池部材１５１の主面と同様の形状となっている。すなわち、太陽電池付きパネル１５０を組み立てて平面視したときに、太陽電池部材１５１の外周縁は、固定部材１５２の外周縁と概ね一致している。
固定部材１５２の屈折率は、１．４５以上１．５５以下であることが好ましい。
この範囲であれば、通常のガラス（１．５程度）と同程度の光を取り入れることができる。
【０１１０】
続いて、複数の太陽電池付きパネル１５０を組み立てて壁面構造１６０を形成したときの各部材の位置関係について説明する。
【０１１１】
壁面構造１６０は、複数段の太陽電池付きパネル１５０が積み重ねられて形成されている。
図２４に示されるように、太陽電池部材１５１ａの受光面３０上に固定部材１５２ａが載置されて一段目の太陽電池付きパネル１５０ａが形成されている。また、太陽電池部材１５１ａの受光面３０と固定部材１５２ａの下面は、図示しない接着剤等によって密着している。
一段目の太陽電池付きパネル１５０ａの固定部材１５２ａの上面に別の太陽電池部材１５１ｂが載置されている。そして、その当該太陽電池部材１５１ｂの受光面３０上に固定部材１５２ｂが載置されて二段目の太陽電池付きパネル１５０ｂが形成されている。
すなわち、各太陽電池付きパネル１５０を構成する固定部材１５２と太陽電池部材１５１は、天地方向Ｙの下方側から上方側に向かって、交互に配列している。つまり、固定部材１５２ａは、一段目の太陽電池部材１５１ａと，二段目の太陽電池部材１５１ｂに挟まれており、二段目の太陽電池部材１５１ｂは、一段目の固定部材１５２ａと二段目の固定部材１５２ｂに挟まれている。
【０１１２】
第６実施形態の太陽電池付きパネル１５０によれば、固定部材１５２上に太陽電池部材１５１を載置するため、太陽電池部材１５１を固定部材１５２の一面で支持することができ、太陽電池部材１５１の安定した姿勢保持が可能である。
また、第６実施形態の太陽電池付きパネル１５０によれば、固定部材１５２としてアクリル樹脂を使用しているため、軽量であり太陽電池部材１５１上に設置しても、太陽電池部材１５１が重量によって圧迫されにくい。
【０１１３】
上記した実施形態では、表板部材２と裏板部材３の間は、空気で充填され空洞となっていたが、本発明はこれに限定されるものではなく、図２５に示されるように、充填剤１８０（断熱材）で充填させてもよい。
この充填剤１８０は、硬化したときに透光性を有する樹脂である。充填剤１８０としては、特に限定されるものではなく、例えば、アクリル樹脂などが使用できる。
【０１１４】
上記した実施形態では、透明領域３１は、太陽電池部材５の上部側領域に形成されていたが、本発明はこれに限定されるものではなく、透明領域は、太陽電池部材の下方側の領域である下部側領域に形成されていてもよい。
【０１１５】
上記した実施形態では、太陽電池付きパネルを窓等の建物の壁面として使用したが、本発明はこれに限定されるものではなく、太陽電池付きパネルを展示品ケースなどのショーケース等に使用してもよい。
【０１１６】
上記した実施形態では、太陽電池部材５は、受光面３０が片面に設けられた片面受光の太陽電池を採用したが、本発明はこれに限定されるものではなく、太陽電池部材は受光面が両面に形成された両面受光の太陽電池であってもよい。
【０１１７】
上記した実施形態では、太陽電池部材５として光を透過するシースルー型の太陽電池を採用していたが、本発明はこれに限定されるものではなく、光を透過しない通常の太陽電池でもよい。
本発明によれば、正面視したときに裏面側の大部分が目視可能となっているので、この通常の太陽電池であってもシースルー型の太陽電池のように光を透過させることができる。
【符号の説明】
【０１１８】
１，５０，８０，１００，１２０，１５０  太陽電池付きパネル
２，８１  表板部材
３，８２  裏板部材
５，８３，１５１  太陽電池部材
１２  空間
３１  透明領域
８５，８６  固定溝
１０１  太陽電池部材（他の太陽電池部材）
【図１】
0006511240.tif 000002
【図２】
0006511240.tif 000003
【図３】
0006511240.tif 000004
【図４】
0006511240.tif 000005
【図５】
0006511240.tif 000006
【図６】
0006511240.tif 000007
【図７】
0006511240.tif 000008
【図８】
0006511240.tif 000009
【図９】
0006511240.tif 000010
【図１０】
0006511240.tif 000011
【図１１】
0006511240.tif 000012
【図１２】
0006511240.tif 000013
【図１３】
0006511240.tif 000014
【図１４】
0006511240.tif 000015
【図１５】
0006511240.tif 000016
【図１６】
0006511240.tif 000017
【図１７】
0006511240.tif 000018
【図１８】
0006511240.tif 000019
【図１９】
0006511240.tif 000020
【図２０】
0006511240.tif 000021
【図２１】
0006511240.tif 000022
【図２２】
0006511240.tif 000023
【図２３】
0006511240.tif 000024
【図２４】
0006511240.tif 000025
【図２５】
0006511240.tif 000026